(57)【要約】【課題】  第１長尺部材とアンカーボルトとの連結施工が容易であるアンカー連結構造を提供すること。【解決手段】  複数の建築用柱状材１６を並べて貫通連結する第１長尺部材３に対しアンカーボルト９でアンカーを連結してある。建築用柱状材１６に受入穴１１を形成し、この受入穴１１に連結部材１２を挿入すると共にこの連結部材１２を前記第１長尺部材３で貫通させる。そして、連結部材１２に形成した雌ねじ１３にアンカーボルト９を螺合させて連結する。さらに、アンカーボルト９と建築用柱状材１６との間にこの建築用柱状材１６に接当して連結部材１２を受入穴１１の外側に変位させることにより連結部材１２を固定する締付手段２１を設けてある。【選択図】    図８
2005139889.tif 000002
【特許請求の範囲】
【請求項１】
複数の建築用柱状材１，１６を並べて貫通連結する第１長尺部材３に対し第２長尺部材９でアンカーを連結したアンカー連結構造であって、
前記建築用柱状材１，１６に受入穴１１を形成し、この受入穴１１に連結部材１２を挿入すると共にこの連結部材１２を前記第１長尺部材３で貫通させ、さらに前記連結部材１２を前記第２長尺部材９と連結したことを特徴とするアンカー連結構造。
【請求項２】
前記連結部材３と前記第２長尺部材９との連結手段２０が前記連結部材１２に形成した穴１３とこの穴１３に挿入される軸９であることを特徴とする請求項１記載のアンカー連結構造。
【請求項３】
前記連結部材１２と前記第２長尺部材９との連結手段２０がねじ手段であることを特徴とする請求項１又は２記載のアンカー連結構造。
【請求項４】
前記第２長尺部材９と前記建築用柱状材１，１６との間にこの建築用柱状材１，１６に接当して前記連結部材１２を前記受入穴１１の外側に変位させることにより前記連結部材１２を固定する締付手段２１を有することを特徴とする請求項１〜３のいずれかに記載のアンカー連結構造。
【請求項５】
前記締付手段２１がねじ手段であることを特徴とする請求項４記載のアンカー連結構造。
【請求項６】
請求項１〜５のいずれかに記載のアンカー連結構造に用いる壁体であって、複数の建築用柱状材１，１６を並べて第１長尺部材３で連結し、前記建築用柱状材１，１６に受入穴１１を形成し、この受入穴１１に連結部材１２を挿入すると共にこの連結部材１２を前記第１長尺部材３で貫通させてあり、さらに前記連結部材１２に前記第２長尺部材９との連結手段２０の一部１３を設けたことを特徴とする壁体。
【発明の詳細な説明】
【技術分野】
【０００１】
本発明は、複数の建築用柱状材を並べて連結する第１長尺部材に対し第２長尺部材でアンカーを連結したアンカー連結構造に関する。さらに詳しくは、建築用柱状材を連続的に配置してなる護岸壁及び陸上護壁等において、アンカーを連結、固定を行なうための構造に関する。
【背景技術】
【０００２】
護岸壁、陸上護壁は屋内と違い、屋外に於いては環境の影響をまともに受ける。図１４、図１５、に示すように、風雨、寒暖、湿度あるいは微生物の発生などの影響は著しく、木材で構成される建築用柱状材１’使用の護岸壁、陸上護壁の表面は短期間において（一年に満たない場合もある）符号１５’に示すような腐食、腐敗を生じる。そのため、長尺部材９’の先端部６’、７’と建築用柱状材１’の間に大きく隙間が生じ、本来壁体を安定固定し、土砂等の圧力から壁体の崩壊をおさえるためのアンカーの機能が果せなくなる。
そのため、本来環境に優しく有益な木材の環境保全用資材としての活用を遅らせる要因ともなり、環境の保全が望まれる現在この面での改良が望まれていた。
【０００３】
すなわち、自然環境の保全が望まれる中で、間伐材や先端材など利用価値の低い小径木材を用いて環境に優しい建築資材の開発が望まれるが、屋外、自然環境下においての木材の利用は難しく、風、雨、湿度、寒暖、微生物等による影響は計り知れないものがある。そんな条件下において本発明は、護岸用壁体、陸上護壁体を製作施工を行なう上で、木製の壁面よりなる前記の護岸壁、陸上護壁を安定、固定する上で従来の方法では木製壁体の寿命が残る中で壁体の固定の為のアンカー接続部分に腐敗が生じ、壁体の安定、固定が早期に失われアンカーの機能が充分に果せていなかった。
【０００４】
そこで、特許文献１の如く建築用柱状材を貫通する第１長尺部材に第２長尺部材を連結する構造が提唱された。しかし、建築用柱状材の間で第１、第２長尺部材を連結する合理的な構造は開示されていない。
【特許文献１】特開２００２−８１１５１号
【発明の開示】
【発明が解決しようとする課題】
【０００５】
かかる従来の実情に鑑みて、本発明は、第１、第２長尺部材の連結施工が容易であるアンカー連結構造を提供することを目的とする。
【課題を解決するための手段】
【０００６】
上記目的を達成するため、本発明に係るアンカー連結構造の特徴は、複数の建築用柱状材１，１６を並べて貫通連結する第１長尺部材３に対し第２長尺部材９でアンカーを連結した構造であって、
前記建築用柱状材１，１６に受入穴１１を形成し、この受入穴１１に連結部材１２を挿入すると共にこの連結部材１２を前記第１長尺部材３で貫通させ、さらに前記連結部材１２を前記第２長尺部材９と連結したことにある。
【０００７】
前記連結部材３と前記第２長尺部材９との連結手段２０が前記連結部材１２に形成した穴１３とこの穴１３に挿入される軸９とするとよい。また、前記連結部材１２と前記第２長尺部材９との連結手段２０がねじ手段でとしてもよい。
【０００８】
前記第２長尺部材９と前記建築用柱状材１，１６との間にこの建築用柱状材１，１６に接当して前記連結部材１２を前記受入穴１１の外側に変位させることにより前記連結部材１２を固定する締付手段２１を有してもよい。この場合、前記締付手段２１がねじ手段であるとよい。
【０００９】
一方、上記いずれかの特徴に記載のアンカー連結構造に用いる壁体の特徴は、複数の建築用柱状材１，１６を並べて第１長尺部材３で連結し、前記建築用柱状材１，１６に受入穴１１を形成し、この受入穴１１に連結部材１２を挿入すると共にこの連結部材１２を前記第１長尺部材３で貫通させてあり、さらに前記連結部材１２に前記第２長尺部材９との連結手段２０の一部１３を設けたことにある。
【発明の効果】
【００１０】
上記特徴によれば、連結部材を建築用柱状材に形成した受入穴に挿入すると共に第１長尺部材をこの連結部材に貫通させておけば、その後に第２長尺部材との連結作業を容易に行うことができる。このようにして連結部材のセットされた壁体を予め作成しておくことで、工事もさらに容易となり、しかも受入穴と連結部材とを用いた構成は壁体自信の作成時に連結部材を簡単にセットすることが可能となる。また、アンカー側より取り付けの加工を施すことで壁面の外観も改善されると共に、更に取り付けられた金物類が壁体表面に出ないことから安全面においても改善されるに至った。
本発明のその他の目的、構成、効果については以下の発明を実施するための最良の形態の項で明らかになるであろう。
【発明を実施するための最良の形態】
【００１１】
次に、添付図面の図１〜１０を参照しながら、本発明の第１実施形態をさらに詳しく説明する。図１の（ａ）〜（ｃ）の様な断面を持つ建築用柱状材１（本発明には建築用柱状材の断面形状にはこだわらないことから断面形状は角、丸であっても構わない（以降の説明は（イ）をもってするものとする））に受入穴２を施した建築用柱状材１（図２）の姿図を図３のように第１長尺部材３を介して連結してなる。図１、３（ａ）〜（ｃ）は断面形状の種類を示す。本発明は断面形状には特に関わらないため、建築用柱状材１は角柱、丸柱で有っても構わない。以降は説明の便宜上（ａ）を建築用柱状材１の形状とする。    
【００１２】
連結部材１２として使用する棒状材料の直径寸法は第１長尺部材３の寸法に関わる為第１長尺部材３が容易に貫通できる大きさに受入穴１４設定し棒状金物の太さ寸法（Ｎ）の設定を行なう。次に、（Ｓ）寸法は建築用柱状材１の厚み（Ｌ）の１／２（ＬＳ）よりも短く設定し、肉厚を考慮し（Ｈ）寸法を決めた後、（ＨＳ）寸法を設定する。続いて、アンカーボルト９を挿入接続を行なうための接続孔１３の下孔を設ける。下孔は貫通孔１４まで貫通させる（ゴミ等の異物が入った場合に除去を容易にするためである）。続いて下孔にアンカーボルト９の先端のネジに合わせタップ加工を施し、ネジ孔を構成し、これを連結部材１２とする。
【００１３】
次に、壁体４の構成とアンカー取り付けの施工方法について説明する。建築用柱状材１に貫通孔２を適宜配した建築用柱状材１と建築用柱状材１に連結部材１２を取り付けるための受入穴１１を適宜に貫通孔２に垂直に施した建築用柱状材１６を製作する。受入穴１１の中心と貫通孔２の中心が合う深さに設定する。
【００１４】
本実施形態では、建築用柱状材１及び建築用柱状材１６をアンカーに取り付け及び取り付け個数に応じ適宜配置し、これを横に配し横型壁体として護岸壁、陸上護壁を作り上げている。本発明に使用する建築用柱状材１、１６は有芯の建築用柱状材とすることでさらに耐久性の有る壁体を構成できる。
【００１５】
連結手段２０は雌ねじ１３とアンカーボルト９とで構成され、締付手段２１はワッシャー６及びナット７とで構成される。ナット７の締め付け時に連結部材１２の外側端と受入穴１１の縁との間にクリアランスが残っていることが望ましい。
【００１６】
図９は横型壁体の設置当初の状態  図１０壁体表面が腐食などにより痩せた状態を示す。腐食により壁体表面が損なわれても、アンカー効果は十分に発揮できることが伺える。
【００１７】
図１１〜１３は本発明の第２実施形態であり、複数の建築用柱状材１，１６を垂直配置し、第２長尺部材で連結している。
【００１８】
なお、第１長尺部材は長尺ボルトの他、ワイヤーなども使用可能である。また、連結手段２０は雌ねじとアンカーボルトの他、差し込みにより引き抜きを阻止する穴と軸とで構成することも可能である。
【００１９】
なお、特許請求の範囲の項に記入した符号は、あくまでも図面との対照を便利にするためのものにすぎず、該記入により本発明は添付図面の構成に限定されるものではない。
【産業上の利用可能性】
【００２０】
本発明は、建築用柱状材を連続的に配置してなる護岸壁及び陸上護壁等におけるアンカー連結構造として利用することができる。
【図面の簡単な説明】
【００２１】
【図１】建築用柱状材に貫通孔を設けた建築用柱状材の断面図である。
【図２】図１（ａ）の建築用柱状材の斜視図である。
【図３】建築用柱状材を第１長尺部材をもって連続的に配し連結した状態の断面図である。
【図４】建築用柱状材を水平配置した護岸壁の正面図である。
【図５】図４のＡ−Ａ断面図である。
【図６】図５の連結部材のナット締め付け前の取り付け状態を示す詳細図である。
【図７】（ａ）は連結部材の断面図、（ｂ）は（ａ）のＢ−Ｂ断面図、（ｃ）は（ａ）のＣ−Ｃ断面図である。
【図８】連結部材のナット締め付け後の取り付け状態を示す詳細図である。
【図９】図５の陸上護壁の完成側面図である。
【図１０】建築用柱状材の表面が腐食された状態を示す図９相当図である。
【図１１】縦使いとした建築用柱状材を用いた陸上護岸壁の正面図である。
【図１２】図１１の断面図である。
【図１３】図１２のアンカー取り付け部分の拡大図である。
【図１４】建築用柱状材の表面が腐食されることによりアンカーの機能が失われる状態を示す護岸壁の縦断面図である。
【図１５】図１４の部分拡大図である。
【符号の説明】
【００２２】
１：建築用柱状材、２：貫通孔、３：第１長尺部材（長尺ボルト）、４：壁体、５：アンカー、６：座金、７：ナット、９：アンカーボルト（第２長尺部材、軸）、１０：土砂、１１：受入穴、１２：連結部材、１３：雌ねじ（穴）、１４：貫通孔、１５：腐食部、１６：建築用柱状材，２０：連結手段（ねじ手段）、２１：締付手段
【図１】
2005139889.tif 000003
【図２】
2005139889.tif 000004
【図３】
2005139889.tif 000005
【図４】
2005139889.tif 000006
【図５】
2005139889.tif 000007
【図６】
2005139889.tif 000008
【図７】
2005139889.tif 000009
【図８】
2005139889.tif 000010
【図９】
2005139889.tif 000011
【図１０】
2005139889.tif 000012
【図１１】
2005139889.tif 000013
【図１２】
2005139889.tif 000014
【図１３】
2005139889.tif 000015
【図１４】
2005139889.tif 000016
【図１５】
2005139889.tif 000017